(57)【要約】【課題】操作が簡便な浄水供給装置を提供する。【解決手段】この発明は、ろ過手段で原水をろ過して浄水を生成し、給水経路の一端に設けられた給水口から容器に所定量の浄水を供給すると共に、容器に浄水を供給する前に給水経路を洗浄する給水手段を有する浄水供給装置において、容器に浄水を連続して供給する要求を受け付ける連続給水要求受付手段５２ｃを設け、連続給水要求受付手段５２ｃにより容器に浄水を供給する要求が受け付けられたときは、ろ過手段で原水をろ過して浄水を生成し、給水手段により容器に浄水を供給させる。【選択図】        図５
2020044491.tif 000002
【特許請求の範囲】
【請求項１】
ろ過手段で原水をろ過して浄水を生成し、給水経路の一端に設けられた給水口から容器に所定量の浄水を供給すると共に、容器に浄水を供給する前に前記給水経路を洗浄する給水手段を有する浄水供給装置において、
容器に浄水を連続して供給する要求を受け付ける連続給水要求受付手段と、
前記連続給水要求受付手段により容器に浄水を供給する要求が受け付けられたときは、浄水の供給が完了した後に、前記ろ過手段で原水をろ過して浄水を生成し、前記給水手段により容器に浄水を供給させる制御手段を有することを特徴とする浄水供給装置。
【請求項２】
ろ過手段で原水をろ過して浄水を生成し、給水経路の一端に設けられた給水口から容器に所定量の浄水を供給すると共に、容器に浄水を供給する前に前記給水経路を洗浄する給水手段を有する浄水供給装置において、
複数の注水量から一の注水量を選択させる注水量選択手段と、
給水手段による容器への浄水供給の完了から所定の時間が経過するまでに、前記注水量選択手段による注水量の選択があったときは、前記ろ過手段で原水をろ過して浄水を生成し、前記給水手段により容器に浄水を供給させる制御手段を有することを特徴とする浄水供給装置。
【請求項３】
前記ろ過手段は、逆浸透膜を用いてろ過することを特徴とする請求項１または２に記載の浄水供給装置。
【請求項４】
請求項１、２または３のいずれか１項に記載の浄水供給装置において、前記容器を置く載置部と、前記載置部の前面に設けられた扉と、前記扉の施錠または解錠を行う施錠手段とを付加し、
前記施錠手段は、前記給水手段による容器への浄水供給の完了から所定の時間が経過するまで、前記扉を施錠し、
前記制御手段は、前記連続給水要求受付手段により容器に浄水を供給する要求が受け付けられたとき、または前記注水量選択手段による注水量の選択があったときは、前記施錠手段に前記扉を解錠させることを特徴とする浄水供給装置。
【請求項５】
請求項１、３または４のいずれか１項に記載の浄水供給装置において、
利用者から所定の情報の入力を受け付ける入力受付手段と、前記施錠手段により前記扉が解錠されてからの時間をカウントするタイマを有し、
前記制御手段は、前記連続給水要求受付手段により容器に浄水を供給する要求が受け付けられた後に、前記入力受付手段による情報の入力が受け付けられたとき、または前記タイマによる時間のカウント開始から所定の時間が経過したときに、前記給水手段に前記給水経路を洗浄させることを特徴とする浄水供給装置。
【請求項６】
請求項２、３または４のいずれか１項に記載の浄水供給装置において、
利用者から所定の情報の入力を受け付ける入力受付手段と、前記施錠手段により前記扉が解錠されてからの時間をカウントするタイマを有し、
前記制御手段は、前記注水量選択手段による注水量の選択があった後に、前記入力受付手段による情報の入力が受け付けられたとき、または前記タイマによる時間のカウント開始から所定の時間が経過したときに、前記給水手段に前記給水経路を洗浄させることを特徴とする浄水供給装置。
【発明の詳細な説明】
【技術分野】
【０００１】
本発明は、水道水を逆浸透膜式などのろ過手段でろ過して浄水を生成し、所定量を容器に注入して供給する浄水供給装置に関する。
【背景技術】
【０００２】
浄水供給装置は、特定の条件を備えた会員向けの浄水の注入装置または有料の浄水販売機として、量販店やドラッグストア等の小売店に設置される例が増えている。
【０００３】
利用者が浄水供給装置を利用するときに、例えば、利用者は、カード等による利用者情報の入力および／または所定の金銭を投入した後に、注水量を選択する。浄水供給装置は、これらの入力を受けて給水経路を洗浄し、容器を置くための載置台の前に設けられた扉を解錠する。その後、利用者が扉を開けて容器を載置台に置くと、浄水供給装置は、扉を閉じて、給水を開始する。浄水供給装置は、容器への浄水の供給が完了すると、扉を開く。最後に、利用者は、容器を取出す（特許文献１）。
【先行技術文献】
【特許文献】
【０００４】
【特許文献１】特開２００３−１４１６２９号公報
【発明の概要】
【発明が解決しようとする課題】
【０００５】
しかしながら、上述した一連の操作や動作は、同じ利用者が容器に浄水を複数回供給するときにも繰りかえされる。これにより、利用者は、同じ操作を繰り返すことになるので、操作が煩雑であるという問題があった。そのため、利用者からは、操作性が向上された浄水供給装置が要望されていた。
そこで、本発明は、上記要望に応えることができる浄水供給装置を提供することを目的とする。
【課題を解決するための手段】
【０００６】
この発明の浄水供給装置は、逆浸透膜を含むろ過手段で原水をろ過して浄水を生成し、給水経路の一端に設けられた給水口から容器に所定量の浄水を供給すると共に、容器に浄水を供給する前に給水経路を洗浄する給水手段を有する浄水供給装置において、容器に浄水を連続して供給する要求を受け付ける連続給水要求受付手段と、連続給水要求受付手段により容器に浄水を供給する要求が受け付けられたときは、浄水の供給が完了した後に、前記ろ過手段で原水をろ過して浄水を生成し、給水手段により容器に浄水を供給させる制御手段を有する、ことを特徴とする（請求項１）。
【０００７】
この発明の浄水供給装置は、逆浸透膜を含むろ過手段で原水をろ過して浄水を生成し、給水経路の一端に設けられた給水口から容器に所定量の浄水を供給すると共に、容器に浄水を供給する前に給水経路を洗浄する給水手段を有する浄水供給装置において、複数の注水量から一の注水量を選択させる注水量選択手段と、給水手段による容器への浄水供給の完了から所定の時間が経過するまでに、注水量選択手段による注水量の選択があったときは、ろ過手段で原水をろ過して浄水を生成し、給水手段により容器に浄水を供給させる制御手段を有する、ことを特徴とする（請求項２）。
【０００８】
この発明の浄水供給装置は、上記の構成において、ろ過手段は、逆浸透膜を用いてろ過する、ことが好ましい（請求項３）。
【０００９】
この発明の浄水供給装置は、上記の構成において、容器を置く載置部と、載置部の前面に設けられた扉と、扉の施錠または解錠を行う施錠手段とを付加し、施錠手段は、給水手段による容器への浄水供給の完了から所定の時間が経過するまで、扉を施錠し、制御手段は、連続給水要求受付手段により容器に浄水を供給する要求が受け付けられたとき、または注水量選択手段による注水量の選択があったときは、施錠手段に扉を解錠させる、ことが好ましい（請求項４）。
【００１０】
この発明の浄水供給装置は、上記の構成において、利用者から所定の情報の入力を受け付ける入力受付手段と、施錠手段により扉が解錠されてからの時間をカウントするタイマを付加し、制御手段は、連続給水要求受付手段により容器に浄水を供給する要求が受け付けられた後に、入力受付手段による情報の入力が受け付けられたとき、またはタイマによる時間のカウント開始から所定の時間が経過したときに、給水手段に給水経路を洗浄させる、ことが好ましい（請求項５）。
【００１１】
この発明の浄水供給装置は、上記の構成において、利用者から所定の情報の入力を受け付ける入力受付手段と、施錠手段により扉が解錠されてからの時間をカウントするタイマを付加し、制御手段は、注水量選択手段による注水量が選択された後に、入力受付手段による情報の入力が受け付けられたとき、またはタイマによる時間のカウント開始から所定の時間が経過したときに、給水手段に給水経路を洗浄させる、ことが好ましい（請求項６）。
【発明の効果】
【００１２】
請求項１に記載の発明によれば、利用者が給水を連続して行う要求を受け付けることにより浄水を容器に複数回供給することができるので、利用者に煩雑な操作を繰り返させることなく、容器に浄水を供給することができる。
【００１３】
請求項２に記載の発明によれば、利用者が選択する注水量を受け付けることにより浄水を容器に複数回供給することができるので、利用者に煩雑な操作を繰り返させることなく、容器に浄水を供給することができる。
【００１４】
請求項３に記載の発明によれば、水中の微細なウィルスまで除去することができるので、利用者に清潔な水を提供することができる。
【００１５】
請求項４に記載の発明によれば、利用者が連続する給水に関する操作をするまで扉が施錠されるので、利用者に連続給水の要否を必ず選択してもらうことができる。
【００１６】
請求項５または６に記載の発明によれば、利用者の変更または利用者が容器に浄水を供給することを希望しないときに給水経路を洗浄するので、利用者に清潔な浄水を常に供給することができる。
【図面の簡単な説明】
【００１７】
【図１】図１は、本発明に係る浄水供給装置の斜視図である。
【図２】図２は、同装置の正面中段近傍の部分拡大図である。
【図３】図３は、同装置の配管図である。
【図４】図４は、同装置の制御系のブロック構成図である。
【図５】図５は、第１の実施の形態に係り、同装置の主たる動作を示すフローチャートである。
【図６】図６は、操作パネルに表示される表示内容の一例を示す図である。（ａ）は、利用者にカードの読み取りを促す図である。（ｂ）は、利用者にカードの読み取りが完了したことを伝える図である。（ｃ）は、利用者に注水量の指示を促す図である。（ｄ）は、利用者に給水経路が洗浄されていることを伝えるとともに、容器のキャップの洗浄を促す図である。（ｅ）は、利用者に容器の載置を促す図である。（ｆ）は、利用者に容器に浄水を供給していることを伝える図である。（ｇ）は、利用者に容器への浄水の供給が完了したことを伝えるとともに、容器に浄水を複数回供給するか否かの要求を求める図である。（ｈ）は、利用者に一の容器への浄水の供給が完了したことを伝える図である。（ｉ）は、利用者に給水経路の洗浄が省略されたことを伝えると共に、容器のキャップの洗浄を促す図である。
【図７】図７は、第２の実施の形態に係り、同装置の主たる動作を示すフローチャートである。
【図８】図８は、第２の実施形態に係り、操作パネルに表示される表示内容の一例を示す図であって、図６に示した（ｇ）の異なる態様を示す図である。
【図９】図９は、第３の実施の形態に係り、同装置の主たる動作を示すフローチャートである。
【図１０】図１０は、操作パネルに表示される表示内容の一例を示す図である。（ａ）は、利用者にカードの読み取りを促す図である。（ｂ）は、利用者にカードの読み取りが完了したことを伝える図である。（ｃ）は、容器に浄水を複数回供給するか否かの要求を求める図である。（ｄ）は、利用者に注水量の指示を促す図である。（ｅ）は、利用者に給水経路が洗浄されていることを伝えるとともに、容器のキャップの洗浄を促す図である。（ｆ）は、利用者に容器の載置を促す図である。（ｇ）は、利用者に容器に浄水を供給していることを伝える図である。（ｈ）は、利用者に容器への浄水の供給が完了したことを伝えるとともに、利用者に容器の載置を促す図である。（ｉ）は、利用者に一の容器への浄水の供給が完了したことを伝える図である。（ｊ）は、利用者に給水経路の洗浄が省略されたことを伝えると共に、容器のキャップの洗浄を促す図である。
【図１１】図１１は、第４の実施の形態に係り、同装置の主たる動作を示すフローチャートである。
【図１２】図１２は、操作パネルに表示される表示内容の一例を示す図である。（ａ）は、利用者にカードの読み取りを促す図である。（ｂ）は、利用者にカードの読み取りが完了したことを伝える図である。（ｃ）は、利用者に注水量の指示を促す図である。（ｄ）は、利用者に給水経路が洗浄されていることを伝えるとともに、容器のキャップの洗浄を促す図である。（ｅ）は、利用者に容器の載置を促す図である。（ｆ）は、利用者に容器に浄水を供給していることを伝えるとともに、容器に浄水を複数回供給するか否かの要求を求める図である。（ｇ）は、利用者に容器への浄水の供給が完了したことを伝えるとともに、利用者に容器の載置を促す図である。（ｈ）は、利用者に一の容器への浄水の供給が完了したことを伝える図である。（ｉ）は、利用者に給水経路の洗浄が省略されたことを伝えると共に、容器のキャップの洗浄を促す図である。
【図１３】図１３は、第５の実施の形態に係る浄水供給装置Ｃの正面中段近傍の部分拡大図である。
【図１４】図１４は、同装置の制御系のブロック構成図である。
【図１５】図１５は、第５の実施の形態に係り、同装置の主たる動作を示すフローチャートである。
【発明を実施するための形態】
【００１８】
以下、この発明に係る浄水供給装置の実施の形態について図面を参照しながら説明する。
【００１９】
本発明に係る浄水供給装置Ａは、所定の大きさの容器に浄水を無償で供給する浄水供給装置とし実現するほか、所定の大きさの容器に浄水を有償で供給する浄水販売機としても実現することができる。図１および図２は、本発明に係る浄水供給装置が、浄水を所定の大きさの容器に無償で供給する浄水供給装置Ａとして実現する場合の一例（第１の実施の形態）を示す。
【００２０】
（浄水供給装置Ａの構成に係る説明）
この浄水供給装置Ａは、外装と内部機器の保護のための筺体１０を有し、その筺体１０の正面である接客面に、利用者からのカードの情報の入力を受け付けるカードリーダ５１と、利用者に浄水供給装置Ａの動作状況および操作を促す画像等を表示する表示装置と利用者が操作する入力装置を兼ねた操作パネル５２が備えられている。また、操作パネル５２の下方に容器（ボトル）Ｂ（図３）のキャップを洗浄するキャップ洗浄手段（ＣＷ）（図示せず）の中に入れるためのキャップ除菌トレイ１１が設けられている。なお、本実施の形態におけるカードは磁気を利用して情報を記録したものであるが、あくまでも一例であり情報の記録形式は、これに限定されない。また、記録されている情報として、利用者の氏名、小売店が付した管理番号、浄水の供給履歴等の情報が記録されている。ただし、これも一例であり、これらの情報に限定されるものではなく、他の情報が記録されていてもよい。
【００２１】
また、筐体１０の正面から内側に窪んだ、浄水が供給される所定の容器Ｂを挿入して置くための載置台１２と、その上方に容器Ｂに浄水を供給するための給水口１３が設けられている。さらに、この載置台１２の開口面に、扉１４が設けられている。
【００２２】
操作パネル５２は、表示と入力を兼ねるタッチパネルである。また、図６および図７に示すように、利用者に対するガイダンス表示、例えば、容器Ｂを載置台１２に置き、または載置台１２から容器Ｂを取り出すことを促すメッセージ、所望の注水量（本実施の形態では、２リットルまたは４リットルのいずれかの注水量）の選択を促す表示、容器Ｂに浄水を続けて供給をするか（容器Ｂに浄水を複数回供給するか）否かの入力を促す表示、給水進行状況などの各種の画像が操作パネル５２に表示される。
【００２３】
（浄水供給装置Ａの配管に関する説明）
筺体１０の中には、図３に例示するような浄水生成部２０が装備されている。浄水生成部２０は、一端側が原水である水道水を供給する水道管１５に連結され、他端側は載置台１２の直上に位置させた給水口１３に接続されている。
【００２４】
浄水生成部２０は、水道管１５と給水口１３との間に設置された、水道水を供給又は停止させる受水ユニット２０ａと、供給される水道水を前処理する前処理ユニット２０ｂと、前処理された水道水を加圧するポンプユニット２０ｃと、加圧された水道水を逆浸透膜によりろ過する逆浸透膜式ろ過手段であるＲＯユニット２０ｄと、ＲＯユニット２０ｄでろ過生成された透過水、すなわち容器Ｂに浄水を注水しまたは注水を停止する給水ユニット２０ｆと、ＲＯユニット２０ｄと給水ユニット２０ｆとの間に流量センサＦＭ１からなる流水ユニット２０ｅと、ＲＯユニット２０ｄで発生した濃縮水をポンプユニット２０ｃに循環する循環排水ユニット２０ｇとから構成されている。
【００２５】
換言すると、水道管１５とＲＯユニット２０ｄとの間の給水用管路３１およびＲＯユニット２０ｄと給水口１３との間の注水用管路３２、さらにＲＯユニット２０ｄの濃縮水（非透過水）の排水管と循環排水ユニット２０ｇとの間の循環経路３３に上記各ユニットを構成する作動部材が次のように配設されている。以下に上記各ユニットの具体的な構成について説明する。
【００２６】
受水ユニット２０ａは、上流から下流に向かって、原水の供給と供給停止を行う手動バルブＶ１、圧力計ＰＧ１、減圧弁ＲＶ１、水道メータＭ１、手動バルブＶ５、電磁弁ＳＶ２が順次配置されて構成されている。手動バルブＶ５には、給水ユニット２０ｆおよび循環排水ユニット２０ｇのメンテナンス用経路４１，４２がそれぞれ接続されている。
【００２７】
前処理ユニット２０ｂは、受水ユニット２０ａの下流側に接続されている。また、前処理ユニット２０ｂは、二つの分岐路に配置したセディメントフィルタ（原水に含まれている比較的大きな不純物を除去するフィルタ）Ｆ１，Ｆ２と、その下流の三つの分岐路に配置したカーボンフィルタ（原水に含まれている比較的小さな不純物を除去するフィルタ）Ｆ３，Ｆ４，Ｆ５と、逆止弁ＣＨ９と、水抜き用のシャットオフバルブＶ８とで構成されている。
【００２８】
ポンプユニット２０ｃは、前処理ユニット２０ｂで比較的大きな不純物が除去された原水をＲＯユニット２０ｄの逆浸透膜ＲＯ１，ＲＯ２に加圧供給するものであり、加圧ポンプＰ１で構成されている。
【００２９】
ＲＯユニット２０ｄは、逆浸透膜を収納して一方側に取水口ａと、他方側に透過水出口ｂと、下面に濃縮水出口ｃとを備えた逆浸透膜ユニットＲＯ１，ＲＯ２を、複数個、図示の例では２段に並列および直列に配列して構成されている。そして、各逆浸透膜ユニットＲＯ１，ＲＯ２は、それぞれの透過水出口ｂを、集水管路を介して注水用管路３２に接続されている。逆浸透膜の材質は、既知のものであり、イオンや塩類の通過を阻止できるように孔径が１〜１０ｎｍ程度のものが使用されている。
【００３０】
給水ユニット２０ｆは、電磁弁ＳＶ３と手動バルブＶ７とで構成され、そのユニットの上流及び下流には逆止弁ＣＨ６、ＣＨ７、ＣＨ１０が配置されている。手動バルブＶ７には、メンテナンス用経路４１が分岐形成されている。
循環排水ユニット２０ｇは、ＲＯユニット２０ｄにおいてろ過生成された透過水（ＲＯ水）を給水用管路３１の前処理ユニット２０ｂとポンプユニット２０ｃとの間に戻すＲＯ水循環経路３４ａと、ＲＯユニット２０ｄより流出される濃縮水（非透過水）を給水用管路３１の前処理ユニット２０ｂとポンプユニット２０ｃとの間に戻す濃縮水循環経路３４ｂと、リサイクル経路３４ｃとを有する。
【００３１】
ＲＯ水循環経路３４ａは、電磁弁ＳＶ８と逆止弁ＣＨ１とで構成されている。また、濃縮水循環経路３４ｂは、電磁弁ＳＶ７と逆止弁ＣＨ２とで構成されている。さらに、リサイクル経路３４ｃは、ニードルバルブＮＶ１と逆止弁ＣＨ３とで構成されている。
【００３２】
ＲＯユニット２０ｄから流出される濃縮水を浄水供給装置Ａの載置台１２の直下に設けられた受け皿（図示せず）に排水する管路３５には、圧力計ＰＧ２、電磁弁ＳＶ４、ＳＶ６、手動バルブＶ６、ノズルＯＦ２、逆止弁ＣＨ８が配置されている。また、手動バルブＶ６に、メンテナンス用経路４２が分岐形成されている。
【００３３】
ポンプユニット２０ｃには、加圧ポンプＰ１の前後に水圧検知手段ＰＳ１，ＰＳ２が設けられている。この水圧検知手段ＰＳ１，ＰＳ２は、給水用管路３１を流れる水の圧力を検知する圧力センサである。水圧検知手段ＰＳ１，ＰＳ２が出力するデータを図示されていないＡ／Ｄ変換器を介してデジタル圧力値に変換して、水圧データとして浄水生成部２０の後述される第１制御部ＣＯＮＴ１に入力される。
【００３４】
（浄水供給装置Ａの制御部に関する説明）
本発明に係る浄水供給装置Ａは、筐体１０の中に、図４に示すように、上記浄水生成部２０の給水制御および水質管理の総体的制御を司る第１制御部ＣＯＮＴ１と、入力部５０の総体的制御を司る第２制御部ＣＯＮＴ２とを有する。以下、これらの制御部について説明する。なお、図４には本発明の要旨に関係しない部材（例えば、精算処理部）については記載を省略する。
【００３５】
第１制御部ＣＯＮＴ１は、第１中央演算手段（以下、ＣＰＵ１という。）と、ＣＰＵ１にバスで接続された第１記憶手段（以下、ＲＯＭ１、ＲＡＭ１などという。）と、第１通信手段ＴＲ１と、第１インターフェース（以下、ＩＦ１という。）を有する。また、第２制御部ＣＯＮＴ２は、第２中央演算手段（以下、ＣＰＵ２という。）と、ＣＰＵ２にバスで接続された第２記憶手段（以下、ＲＯＭ２、ＲＡＭ２などという。）と、第２通信手段ＴＲ２と、第２インターフェース（以下、ＩＦ２という。）を有する。
【００３６】
ＣＰＵ１は、浄水供給装置Ａに電源が投入されると起動し、ＲＯＭ１に記憶されたプログラムを読み出して実行することにより、浄水生成部２０全体の制御を行うものである。また、ＣＰＵ１は、入力部５０の第２制御部ＣＯＮＴ２のＣＰＵ２が所定の制御をするために、入力部５０側に浄水生成部２０の所定の状態に係る各種の信号を送信する。さらに、ＣＰＵ１は、利用者からのカードリーダ５１および操作パネル５２による入力に基づいて浄水生成部２０を制御するために、入力部５０側からの所定の信号を受信する。
【００３７】
ＲＯＭ１は、浄水生成部２０の制御に必要なプログラムが記憶されている。また、ＲＡＭ１は、ＣＰＵ１が動作するために必要なワークエリアを有し、各種設定データを記憶する書換え可能なメモリー（記憶領域）である。
【００３８】
ＩＦ１には、検知信号の出力源である容器センサＢＳ、水質測定手段ＴＤＳ１，ＴＤＳ２、水圧検知手段ＰＳ１，ＰＳ２、流量センサＦＭ１、温度センサＴＨ１などと、制御対象である扉施錠用ソレノイド（施錠手段）ＤＳＯＬ、電磁弁ＳＶ２〜ＳＶ８、ポンプユニット（加圧手段）２０ｃの加圧ポンプＰ１、タイマ（ＴＭ）、キャップ除菌トレイ１１内のキャップの有無を検知するキャップセンサ（ＣＳ）、キャップ洗浄手段（ＣＷ）などが接続されている。
【００３９】
ＣＰＵ２は、浄水供給装置Ａに電源が投入されると起動し、ＲＯＭ２に記憶されたプログラムを読み出して実行することにより、入力部５０全体の制御を行うものである。また、ＣＰＵ２は、浄水生成部２０の第１制御部ＣＯＮＴ１のＣＰＵ１が所定の制御をするために浄水生成部２０側に利用者からの入力に基づいた各種の信号を送信する。さらに、ＣＰＵ２は、操作パネル５２に所定の表示を行うために、浄水生成部２０側からの所定の信号を受信する。
【００４０】
ＲＯＭ２は、入力部５０の制御に必要なプログラムおよび操作パネル５２に表示される画像に係るデータが記憶されている。また、ＲＡＭ２は、ＣＰＵ２が動作するために必要なワークエリアを有し、カードリーダ５１や操作パネル５２の入力情報等を含む各種データを記憶する書換え可能なメモリー（記憶領域）である。
【００４１】
ＩＦ２には、利用者からのカード情報の入力を受け付けるためのカードリーダ５１、および利用者に所定の状況を伝えるため、または入力を促すための画像を表示する操作パネル５２が接続されている。
【００４２】
第１通信手段ＴＲ１と第２通信手段ＴＲ２は、一つの筐体１０の中において浄水生成部２０と入力部５０との間で通信するためのものである。通信規格に特に限定はないが、一例としてＲＳ−２３２Ｃを用いるシリアル通信を行うことが好ましい。
【００４３】
（浄水供給装置Ａの主たる作用に関する説明）
次に、浄水供給装置Ａにおける第１制御部ＣＯＮＴ１による浄水生成部２０の制御動作、および第２制御部ＣＯＮＴ２による入力部５０の制御動作について、図５および図６を基に説明する。
【００４４】
図５のフローチャートは、第１制御部ＣＯＮＴ１のＣＰＵ１が、ＩＦ１に接続された各種センサおよび制御手段からの信号および利用者からのカードリーダ５１および操作パネル５２による入力を受けた入力部５０側からの所定の信号に基づいて、浄水生成部２０を制御する動作に関するものである。また、図６は、第２制御部ＣＯＮＴ２のＣＰＵ２が、ＩＦ２に接続されたカードリーダ５１および操作パネル５２による利用者からの入力および浄水生成部２０側からの所定の信号に基づいて操作パネル５２に表示する画像である。なお、図６に示した各画像は、一例であり、これらに限定されるものではない。すなわち、促したい動作や伝えたい内容が利用者に理解できるものであれば、別の表現であってもよい。
【００４５】
図５のフローチャートは、浄水供給装置Ａの電源が投入されることでスタートし、予め設定された浄水供給装置Ａの初期設定の状態とされる。
【００４６】
浄水供給装置Ａが初期設定の状態となると、施錠手段（ＤＳＯＬ）により扉１２が施錠される（Ｓ１１）。このとき、利用者にカードの情報の入力を促すために、図６（ａ）に示すような表示画像が操作パネル５２に表示される。
【００４７】
次に、利用者がカードリーダ５１に自身のカードを通すことにより、カードに記録された情報が入力されると（Ｓ１２においてＹ）、利用者にカードの情報が入力されたことを伝えるために、図６（ｂ）に示すような表示画像が操作パネル５２に表示される。また、図６（ｂ）に示される表示に続いて、利用者に注水量の選択を促すために、図６（ｃ）に示すような表示画像が操作パネル５２に表示される。図６（ｃ）の表示画像には、注水量として２リットルの注水要求を入力するための小ボトルボタン５２ａの表示画像と、注水量として４リットルの注水要求を入力するための大ボトルボタン５２ｂの表示画像とが含まれる。
【００４８】
利用者から所望の注水量に関する情報が入力されると（Ｓ１３においてＹ）、約１０秒間にわたって給水経路が洗浄される（Ｓ１４）。このとき、利用者に給水経路が洗浄されていることを伝え、かつ容器Ｂのキャップの洗浄（キャップをキャップ除菌トレイ１１に入れてトレイを閉じること）を促すために、図６（ｄ）に示すような表示画像が操作パネル５２に表示される。なお、給水経路を洗浄する時間は、一例であり、これに限定されない。利用者からの要望等を考慮しつつ、所望の時間を設定することができる。
【００４９】
ここで、給水経路は、水道管１５と給水口１３との間に設置された、水道水を供給又は停止させる受水ユニット２０ａと、供給される水道水を前処理する前処理ユニット２０ｂと、前処理された水道水を加圧するポンプユニット２０ｃと、加圧された水道水を、逆浸透膜を用いてろ過する逆浸透膜式ろ過手段であるＲＯユニット２０ｄと、ＲＯユニット２０ｄでろ過生成された透過水、すなわち浄水を容器Ｂに注水しまたは注水を停止する給水ユニット２０ｆと、ＲＯユニット２０ｄと給水ユニット２０ｆとの間に流量センサＦＭ１からなる流水ユニット２０ｅと、ＲＯユニット２０ｄで発生した濃縮水をポンプユニット２０ｃに循環する循環排水ユニット２０ｇのうちＲＯ水循環経路３４ａと、これらを接続する各種の管路、および給水口１３から構成されている経路である。また、給水経路の洗浄とは、容器Ｂが載置台１２に置かれていない状態で流水することにより、給水経路を洗い流すものである。なお、洗浄後の排水は、給水口１３から載置台１２下方に設けられた受け皿および排水口（ともに図示せず）から所定の管路を経て、浄水供給装置Ａの外に排出される。以下、本実施形態および他の実施形態において、特に言及しない限り、給水経路およびその洗浄は上記に同じである。
【００５０】
キャップセンサ（ＣＳ）が、キャップがキャップ除菌トレイ１１に入れられたことを検知することによりキャップ洗浄手段（ＣＷ）によるキャップの洗浄が開始されると（Ｓ１５においてＹ）、利用者が容器Ｂを載置台１２に置くために、扉１４が施錠手段（ＤＳＯＬ）により解錠される（Ｓ１６）。このとき、利用者に容器を載置台１２に置くことを促すために、図６（ｅ）に示すような表示画像が操作パネル５２に表示される。
【００５１】
容器センサ（ＢＳ）により容器Ｂが載置台１２に置かれたことが検知されると（Ｓ１７においてＹ）、扉１４が施錠手段（ＤＳＯＬ）により施錠される（Ｓ１８）。この後に、容器Ｂに浄水を供給することが開始される（Ｓ１９）。給水開始から給水完了までの間、利用者に給水中であることを伝えるために、図６（ｆ）に示すような表示画像が操作パネル５２に表示される。
【００５２】
流量センサＦＭ１により容器Ｂに対する所定量の浄水が供給されたことが検知されると、容器Ｂに浄水を供給することが完了される（Ｓ２０）。また、その後、浄水生成部２０の内部において、所定の時間の間（一例として、６０秒）の流水により、ＲＯユニット２０ｄの逆浸透膜ユニットＲＯ１，ＲＯ２が洗浄されている。このとき、別の容器に浄水を続けて供給するか否かついて利用者に選択を促すために、図６（ｇ）に示すような表示画像が操作パネル５２に表示される。図６（ｇ）の表示画像には、別の容器に浄水を供給する要求を入力するための引き続き給水ボタン５２ｃの表示画像（連続給水要求受付手段）と、容器に浄水を供給する意思がないことを入力するための給水終了ボタン５２ｄの表示画像とが含まれる。なお、図６（ｇ）の表示画像を表示する時間は、浄水の供給完了後から所望の時間とすることができ、本実施の形態においては、上記の逆浸透膜ユニットＲＯ１，ＲＯ２と同じく６０秒である。ただし、これは一例であり、所望の時間を設定することができ、好ましくは、１５〜６０秒間である。
【００５３】
続けて別の容器にも浄水を供給する要求が利用者から入力されたとき、すなわち、図６（ｇ）の引き続き給水ボタン５２ｃ（連続給水要求受付手段）による入力があったとき（Ｓ２１においてＹ）、扉１４が施錠手段（ＤＳＯＬ）により解錠される（Ｓ２２）。このとき、図６（ｈ）が操作パネル５２に表示される。
【００５４】
一方で、利用者から図６（ｇ）の給水終了ボタン５２ｄによる入力を受け付けたときにも（Ｓ２１においてＮ）、扉１４が施錠手段（ＤＳＯＬ）により解錠され（Ｓ２３）。このときも、図６（ｈ）に示すような画像が操作パネル５２に表示される。なお、扉１４が解錠された後には、Ｓ１１の前に戻り、別の利用者からの入力を待つ。
【００５５】
扉１４が施錠手段（ＤＳＯＬ）により解錠されると（Ｓ２２）、利用者に容器（容器Ｂとは異なる別の容器）を載置台１２に置くことを促すために、図６（ｅ）に示すような表示画像が操作パネル５２に表示される。
【００５６】
利用者から所望の注水量に関する情報が入力されると（Ｓ２４においてＹ）、利用者に、給水経路の洗浄が行われないこと、および容器Ｂのキャップの洗浄（キャップをキャップ除菌トレイ１１に入れてトレイを閉じること）を促すために、図６（ｉ）に示すような表示画像が操作パネル５２に表示される。
【００５７】
キャップセンサ（ＣＳ）が、キャップがキャップ除菌トレイ１１に入れられたことを検知することにより、キャップ洗浄手段（ＣＷ）によるキャップの洗浄が開始されると（Ｓ２５においてＹ）、利用者に容器を載置台１２に置くことを促すために、図６（ｅ）に示すような表示画像が操作パネル５２に表示される。
【００５８】
容器センサ（ＢＳ）によりボトルＢが載置台１２に置かれたことが検知されると（Ｓ２７においてＹ）、Ｓ１８の前に戻る。以後は、Ｓ１８以降の動作および操作パネル５２に所定の表示が行われる。
【００５９】
一方で、利用者から所望の注水量に関する情報が入力されず（Ｓ２４においてＮ）、かつカードリーダ５１からカードの情報の入力があったときには（Ｓ２６においてＹ）、給水経路が洗浄される（Ｓ２８）。なお、この後は、Ｓ１３の前に戻り、以後はＳ１３以降の動作および操作パネル５２に所定の表示が行われる。
【００６０】
また、利用者から所望の注水量に関する情報が入力されず（Ｓ２４においてＮ）、かつカードリーダ５１からカードの情報の入力もないときには（Ｓ２６においてＮ）、タイマ（ＴＭ）により所定の時間のカウントが開始される（Ｓ２９）。本実施の形態において、所定の時間は、３０秒である。ただし、これは一例であり、これに限定されるものではない。利用者の要望等により、当該所定の時間を長短することができる。
【００６１】
さらに、タイマ（ＴＭ）によるカウント開始から所定の時間が経過したときには（Ｓ２９においてＹ）、給水経路が洗浄される（Ｓ３０）。なお、この後は、Ｓ１１の前に戻り、別の利用者からの入力を待つ。
【００６２】
（第１の実施の形態の効果に係る説明）
この実施形態にかかる浄水供給装置Ａは、以上のごとき構成および作用からなり、以下、その効果について説明する。
【００６３】
この実施形態にかかる浄水供給装置Ａは、図６（ｇ）に示される引き続き給水ボタン５２ｃ（連続給水要求受付手段）を表示させることにより、利用者に、容器に浄水を供給するか否かの入力を求めるものである。これにより、利用者に煩雑な操作を繰り返させることがなく、容器に浄水を供給することができる。また、操作工数も減ることから、利用者は、浄水の供給に係る所要時間を短縮することもできる。
【００６４】
さらに、この実施形態にかかる浄水供給装置Ａは、容器に浄水を続けて供給するとの入力を受け付けたときには、給水経路の洗浄が省略される。これにより、排水量を減らすことができるため、水の使用量を削減することができる。
【００６５】
また、この実施形態にかかる浄水供給装置Ａは、容器に浄水を供給することが完了しても、利用者の入力があるまで扉が施錠された状態が維持される。これにより、利用者に必ず選択を行わせることができるため、利用者の操作忘れを防止することができる。
【００６６】
さらに、この実施形態にかかる浄水供給装置Ａは、容器に浄水を連続して供給する必要がないときには、給水経路が洗浄される。これにより、利用者に清潔な浄水を常に供給することができる。
【００６７】
（第２の実施の形態の説明）
次に、本発明の第２の実施の形態の説明（変形例）について、主として図６、図７および図８を基に説明する。
【００６８】
図７は、第２の実施の形態に係り、同装置の主たる動作を示すフローチャートである。また、図８は、第２の実施形態に係り、操作パネルに表示される表示内容の一例を示す図であって、図６に示した（ｇ）の異なる態様を示す図である。
【００６９】
第２の実施の形態に係る浄水供給装置の構成、配管および制御部は、上述した浄水供給装置Ａの構成、配管および制御部と同じであるため省略する。
【００７０】
（第２の実施の形態に係る浄水供給装置Ａの主たる作用に関する説明）
第２の実施の形態に係る浄水供給装置Ａにおける第１制御部ＣＯＮＴ１による浄水生成部２０の制御動作、および第２制御部ＣＯＮＴ２による入力部５０の制御動作について説明する。
【００７１】
図７のフローチャートは、第１制御部ＣＯＮＴ１のＣＰＵ１が、ＩＦ１に接続された各種センサおよび制御手段からの信号および利用者からのカードリーダ５１および操作パネル５２による入力を受けた入力部５０側からの所定の信号に基づいて、浄水生成部２０を制御する動作に関するものである。なお、理解を容易にするために、第１の実施の形態における処理（Ｓ）と同じ処理には同じ処理番号（例えば、Ｓ１１）が付されている。
【００７２】
また、図８は、第２制御部ＣＯＮＴ２のＣＰＵ２が、ＩＦ２に接続されたカードリーダ５１および操作パネル５２による利用者からの入力および浄水生成部２０側からの所定の信号に基づいて操作パネル５２に表示する画像のうち、図６に示した（ｇ）の変形例たる（ｇ’）を示す画像である。つまり、図６に示した画像のうち（ａ）、（ｂ）、（ｃ）、（ｄ）、（ｅ）、（ｆ）および（ｉ）は、本実施の形態においても表示される。なお、図８に示した画像は、一例であり、これらに限定されるものではない。すなわち、促したい動作や伝えたい内容が利用者に理解できるものであれば、別の表現であってもよい。
【００７３】
図７のフローチャートのうち、浄水供給装置ＡのスタートからＳ１９までの処理、および操作パネル５２に表示される各画像は、上述した第１の実施の形態と同様であるため省略する。ここでは、Ｓ１９（容器への浄水の供給開始）以後の処理から以下に説明する。
【００７４】
流量センサＦＭ１により容器Ｂに対する所定量の浄水が供給されたことが検知されると、容器Ｂに浄水を供給することが完了される（Ｓ４０）。また、その後、浄水生成部２０の内部において、所定の時間の間（一例として、６０秒）の流水により、ＲＯユニット２０ｄの逆浸透膜ユニットＲＯ１，ＲＯ２が洗浄されている。このとき、別の容器に浄水を供給するために注水量の選択をするか否かついて利用者に選択を促すために、図８（ｇ’）が操作パネル５２に表示される。図８（ｇ’）に示される表示画像には、注水量として２リットルの注水要求を入力するための小ボトルボタン５２ａの表示画像と、注水量として４リットルの注水要求を入力するための大ボトルボタン５２ｂの表示画像と、容器に浄水を供給する意思がないことを入力するための給水終了ボタン５２ｄの表示画像とが含まれる。小ボトルボタン５２ａおよび大ボトルボタン５２ｂが注水量選択手段に該当する。なお、図８（ｇ’）を表示する時間は、本実施の形態においても、一例であり、６０秒ではなく所望の時間を設定することができる。
【００７５】
利用者から所望の注水量に関する情報が入力されたとき、すなわち、図８（ｇ’）の小ボトルボタン５２ａまたは大ボトルボタン５２ｂ（注水量選択手段）による入力があったとき（Ｓ４１においてＹ）、扉１４が施錠手段（ＤＳＯＬ）により解錠される（Ｓ４２）。このとき、図６（ｈ）に示される画像が操作パネル５２に表示される。
【００７６】
一方で、利用者から図８（ｇ’）に示される給水終了ボタン５２ｄによる入力を受け付けたときにも（Ｓ４１においてＮ）、扉１４が施錠手段（ＤＳＯＬ）により解錠され（Ｓ４３）。このときも、図６（ｈ）に示される画像が操作パネル５２に表示される。なお、扉１４が解錠された後には、Ｓ１１の前に戻り、別の利用者からの入力を待つ。
【００７７】
扉１４が施錠手段（ＤＳＯＬ）により解錠されると（Ｓ４２）、利用者に、給水経路の洗浄が行われないこと、および容器Ｂのキャップの洗浄（キャップをキャップ除菌トレイ１１に入れてトレイを閉じること）を促すために、図６（ｉ）に示される表示画像が操作パネル５２に表示される。
【００７８】
キャップがキャップ除菌トレイ１１に入れられて、キャップ洗浄手段（ＣＷ）によるキャップの洗浄が開始されると（Ｓ４４においてＹ）、利用者に容器を載置台１２に置くことを促すために、図６（ｅ）に示される表示画像が操作パネル５２に表示される。
【００７９】
容器センサ（ＢＳ）によりボトルＢが載置台１２に置かれたことが検知されると（Ｓ４５においてＹ）、Ｓ１８の前に戻る。以後は、Ｓ１８以降の動作および操作パネル５２に所定の表示が行われる。
【００８０】
一方で、キャップセンサ（ＣＳ）が、キャップがキャップ除菌トレイ１１に入れられたことを検知せず（Ｓ４４においてＮ）、かつカードリーダ５１からカードの情報の入力があったときには（Ｓ４６においてＹ）、給水経路が洗浄される（Ｓ４７）。なお、この後は、Ｓ１３の前に戻り、以後はＳ１３以降の動作および操作パネル５２に所定の表示が行われる。
【００８１】
また、キャップセンサ（ＣＳ）が、キャップがキャップ除菌トレイ１１に入れられたことを検知せず（Ｓ４４においてＮ）、かつカードリーダ５１からカードの情報の入力もないときには（Ｓ４６においてＮ）、タイマ（ＴＭ）により所定の時間のカウントが開始される（Ｓ４８）。本実施の形態において、所定の時間は、３０秒である。ただし、これは一例であり、これに限定されるものではない。利用者の要望等により、当該所定の時間をとすることができる。
【００８２】
さらに、タイマ（ＴＭ）によるカウント開始から所定の時間が経過したときには（Ｓ４８においてＹ）、給水経路が洗浄される（Ｓ４９）。なお、この後は、Ｓ１１の前に戻り、別の利用者からの入力を待つ。
【００８３】
（第２の実施の形態の効果に係る説明）
この実施形態にかかる浄水供給装置Ａは、以上のごとき構成および作用からなり、以下、その効果について説明する。
【００８４】
この実施形態にかかる浄水供給装置Ａは、図８（ｇ’）に示される小ボトルボタン５２ａの表示画像および大ボトルボタン５２ｂの表示画像（注水量選択手段）により、利用者に、容器に浄水を供給するか否かの入力を求めるものである。これにより、利用者に煩雑な操作を繰り返させることがなく、容器に浄水を供給することができる。また、操作工数も減ることから、利用者は、浄水の供給に係る所要時間を短縮することもできる。
【００８５】
さらに、利用者が続けて容器に浄水を供給するときには、給水経路の洗浄が省略される。これにより、排水量を減らすことができるため、水の使用量を削減することができる。
【００８６】
また、この実施形態にかかる浄水供給装置Ａは、容器に浄水を供給することが完了しても、利用者から注水量の入力があるまで扉が施錠された状態が維持される。これにより、利用者に必ず選択を行わせることができるため、利用者の操作忘れを防止することができる。
【００８７】
さらに、この実施形態にかかる浄水供給装置Ａは、容器に浄水を連続して供給する必要がないときには、給水経路が洗浄される。これにより、利用者に清潔な浄水を常に供給することができる。
【００８８】
（第３の実施の形態の説明）
次に、本発明の第３の実施の形態の説明（変形例）について、主として図９および図１０を基に説明する。
【００８９】
図９は、第３の実施の形態に係り、同装置の主たる動作を示すフローチャートである。また、図１０は、第３の実施形態に係り、操作パネルに表示される表示内容の一例を示す図である。
【００９０】
第３の実施の形態に係る浄水供給装置の構成、配管および制御部は、上述した浄水供給装置Ａの構成、配管および制御部と同じであるため省略する。
【００９１】
（第３の実施の形態に係る浄水供給装置Ａの主たる作用に関する説明）
第３の実施の形態に係る浄水供給装置Ａにおける第１制御部ＣＯＮＴ１による浄水生成部２０の制御動作、および第２制御部ＣＯＮＴ２による入力部５０の制御動作について説明する。
【００９２】
図９のフローチャートは、第１制御部ＣＯＮＴ１のＣＰＵ１が、ＩＦ１に接続された各種センサおよび制御手段からの信号および利用者からのカードリーダ５１および操作パネル５２による入力を受けた入力部５０側からの所定の信号に基づいて、浄水生成部２０を制御する動作に関するものである。
【００９３】
また、図１０は、第２制御部ＣＯＮＴ２のＣＰＵ２が、ＩＦ２に接続されたカードリーダ５１および操作パネル５２による利用者からの入力および浄水生成部２０側からの所定の信号に基づいて操作パネル５２に表示する画像である（ａ）から（ｊ）を示す画像である。なお、図１０に示した画像は、一例であり、これらに限定されるものではない。すなわち、促したい動作や伝えたい内容が利用者に理解できるものであれば、別の表現であってもよい。
【００９４】
図９のフローチャートは、浄水供給装置Ａの電源が投入されることでスタートし、予め設定された浄水供給装置Ａの初期設定の状態とされる。
【００９５】
浄水供給装置Ａが初期設定の状態となると、施錠手段（ＤＳＯＬ）により扉１２が施錠される（Ｓ５１）。このとき、利用者にカードの情報の入力を促すために、図１０（ａ）に示すような表示画像が操作パネル５２に表示される。
【００９６】
次に、利用者がカードリーダ５１に自身のカードを通すことにより、カードに記録された情報が入力されると（Ｓ５２においてＹ）、利用者にカードの情報が入力されたことを伝えるために、図１０（ｂ）に示すような表示画像が操作パネル５２に表示される。また、図１０（ｂ）に示される表示に続いて、利用者に図１０（ｃ）に示すような表示画像が操作パネル５２に表示される。図１０（ｃ）の表示画像には、別の容器に浄水を供給する要求を入力するための連続給水指示ボタン５２ｅの表示画像（連続給水要求受付手段）と、容器に浄水を供給する意思がないことを入力するための連続給水拒否ボタン５２ｆの表示画像、とが含まれる。なお、図１０（ｃ）の表示画像を表示する時間は、所望の時間とすることができ、本実施の形態においては、６０秒である。ただし、これは一例であり、所望の時間を設定することができ、好ましくは、１５〜６０秒間である。
【００９７】
続けて別の容器にも浄水を供給する要求が利用者から入力されたとき、すなわち、図１０（ｃ）の連続給水指示ボタン５２ｅ（連続給水要求受付手段）による入力があったとき（Ｓ５３においてＹ）、当該入力がＲＡＭ２に記憶される（Ｓ５４）。なお、利用者から図１０（ｃ）の連続給水拒否ボタン５２ｆによる入力を受け付けたときには、何ら記憶されない。
【００９８】
また、図１０（ｃ）に示される表示に続いて、利用者に注水量の選択を促すために、図１０（ｄ）に示すような表示画像が操作パネル５２に表示される。図１０（ｄ）の表示画像には、注水量として２リットルの注水要求を入力するための小ボトルボタン５２ａの表示画像と、注水量として４リットルの注水要求を入力するための大ボトルボタン５２ｂの表示画像とが含まれる。
【００９９】
利用者から所望の注水量に関する情報が入力されると（Ｓ５５においてＹ）、約１０秒間にわたって給水経路が洗浄される（Ｓ５６）。このとき、利用者に給水経路が洗浄されていることを伝え、かつ容器Ｂのキャップの洗浄（キャップをキャップ除菌トレイ１１に入れてトレイを閉じること）を促すために、図１０（ｅ）に示すような表示画像が操作パネル５２に表示される。なお、給水経路を洗浄する時間は、一例であり、これに限定されない。利用者からの要望等を考慮しつつ、所望の時間を設定することができる。なお、洗浄される給水経路は、第１および第２の実施の形態と同じである。
【０１００】
キャップセンサ（ＣＳ）が、キャップがキャップ除菌トレイ１１に入れられたことを検知することによりキャップ洗浄手段（ＣＷ）によるキャップの洗浄が開始されると（Ｓ５７においてＹ）、利用者が容器Ｂを載置台１２に置くために、扉１４が施錠手段（ＤＳＯＬ）により解錠される（Ｓ５８）。このとき、利用者に容器を載置台１２に置くことを促すために、図１０（ｆ）に示すような表示画像が操作パネル５２に表示される。
【０１０１】
容器センサ（ＢＳ）により容器Ｂが載置台１２に置かれたことが検知されると（Ｓ５９においてＹ）、扉１４が施錠手段（ＤＳＯＬ）により施錠される（Ｓ６０）。この後に、容器Ｂに浄水を供給することが開始される（Ｓ６１）。給水開始から給水完了までの間、利用者に給水中であることを伝えるために、図１０（ｇ）に示すような表示画像が操作パネル５２に表示される。
【０１０２】
流量センサＦＭ１により容器Ｂに対する所定量の浄水が供給されたことが検知されると、容器Ｂに浄水を供給することが完了される（Ｓ６２）。また、その後、浄水生成部２０の内部において、所定の時間の間（一例として、６０秒）の流水により、ＲＯユニット２０ｄの逆浸透膜ユニットＲＯ１，ＲＯ２が洗浄されている。
【０１０３】
ここで、図１０（ｃ）の連続給水指示ボタン５２ｅ（連続給水要求受付手段）による入力がＲＡＭ２に記憶されていることを示す信号を受信したとき（Ｓ６３においてＹ）、扉１４が施錠手段（ＤＳＯＬ）により解錠される（Ｓ６４）。ことのき、図１０（ｉ）に示すような画像が操作パネル５２に表示される。
【０１０４】
一方で、図１０（ｃ）の連続給水指示ボタン５２ｅ（連続給水要求受付手段）による入力がＲＡＭ２に記憶されていることを示す信号を受信しなかったときには（Ｓ６３においてＮ）、扉１４が施錠手段（ＤＳＯＬ）により解錠され（Ｓ６５）、このとのきも、図１０（ｉ）に示すような画像が操作パネル５２に表示される。なお、扉１４が解錠された後には、Ｓ５１の前に戻り、別の利用者からの入力を待つ。
【０１０５】
扉１４が施錠手段（ＤＳＯＬ）により解錠されると（Ｓ６４）、利用者に容器（容器Ｂとは異なる別の容器）を載置台１２に置くことを促すために、図１０（ｈ）に示すような表示画像が操作パネル５２に表示される。
【０１０６】
利用者から所望の注水量に関する情報が入力されると（Ｓ６６においてＹ）、利用者に、給水経路の洗浄が行われないこと、および容器Ｂのキャップの洗浄（キャップをキャップ除菌トレイ１１に入れてトレイを閉じること）を促すために、図１０（ｊ）に示すような表示画像が操作パネル５２に表示される。
【０１０７】
キャップセンサ（ＣＳ）が、キャップがキャップ除菌トレイ１１に入れられたことを検知することにより、キャップ洗浄手段（ＣＷ）によるキャップの洗浄が開始されると（Ｓ６７においてＹ）、利用者に容器を載置台１２に置くことを促すために、図１０（ｆ）に示すような表示画像が操作パネル５２に表示される。
【０１０８】
容器センサ（ＢＳ）によりボトルＢが載置台１２に置かれたことが検知されると（Ｓ６９においてＹ）、Ｓ６０の前に戻る。以後は、Ｓ６０以降の動作および操作パネル５２に所定の表示が行われる。
【０１０９】
一方で、利用者から所望の注水量に関する情報が入力されず（Ｓ６６においてＮ）、かつカードリーダ５１からカードの情報の入力があったときには（Ｓ６８においてＹ）、給水経路が洗浄される（Ｓ７０）。なお、この後は、Ｓ５３の前に戻り、以後はＳ５３以降の動作および操作パネル５２に所定の表示が行われる。
【０１１０】
また、利用者から所望の注水量に関する情報が入力されず（Ｓ６６においてＮ）、かつカードリーダ５１からカードの情報の入力もないときには（Ｓ６８においてＮ）、タイマ（ＴＭ）により所定の時間のカウントが開始される（Ｓ７１）。本実施の形態において、所定の時間は、３０秒である。ただし、これは一例であり、これに限定されるものではない。利用者の要望等により、当該所定の時間を長短することができる。
【０１１１】
さらに、タイマ（ＴＭ）によるカウント開始から所定の時間が経過したときには（Ｓ７１においてＹ）、給水経路が洗浄される（Ｓ７２）。なお、この後は、Ｓ５１の前に戻り、別の利用者からの入力を待つ。
【０１１２】
（第３の実施の形態の効果に係る説明）
この実施形態にかかる浄水供給装置Ａは、以上のごとき構成および作用からなり、以下、その効果について説明する。
【０１１３】
この実施形態にかかる浄水供給装置Ａは、図１０（ｃ）に示される連続給水指示ボタン５２ｅ（連続給水要求受付手段）を表示させることにより、利用者に、容器に浄水を供給するか否かの入力を求めるものである。これにより、利用者に煩雑な操作を繰り返させることがなく、容器に浄水を供給することができる。また、操作工数も減ることから、利用者は、浄水の供給に係る所要時間を短縮することもできる。
【０１１４】
さらに、この実施形態にかかる浄水供給装置Ａは、容器に浄水を続けて供給するとの入力を受け付けたときには、給水経路の洗浄が省略される。これにより、排水量を減らすことができるため、水の使用量を削減することができる。
【０１１５】
また、この実施形態にかかる浄水供給装置Ａは、容器に浄水を供給することが完了しても、利用者の入力があるまで扉が施錠された状態が維持される。これにより、利用者に必ず選択を行わせることができるため、利用者の操作忘れを防止することができる。
【０１１６】
さらに、この実施形態にかかる浄水供給装置Ａは、容器に浄水を連続して供給する必要がないときには、給水経路が洗浄される。これにより、利用者に清潔な浄水を常に供給することができる。
【０１１７】
（第４の実施の形態の説明）
次に、本発明の第４の実施の形態の説明（変形例）について、主として図１１および図１２を基に説明する。
【０１１８】
図１１は、第４の実施の形態に係り、同装置の主たる動作を示すフローチャートである。また、図１２は、第４の実施形態に係り、操作パネルに表示される表示内容の一例を示す図である。
【０１１９】
第４の実施の形態に係る浄水供給装置の構成、配管および制御部は、上述した浄水供給装置Ａの構成、配管および制御部と同じであるため省略する。
【０１２０】
（第４の実施の形態に係る浄水供給装置Ａの主たる作用に関する説明）
第４の実施の形態に係る浄水供給装置Ａにおける第１制御部ＣＯＮＴ１による浄水生成部２０の制御動作、および第２制御部ＣＯＮＴ２による入力部５０の制御動作について説明する。
【０１２１】
図１１のフローチャートは、第１制御部ＣＯＮＴ１のＣＰＵ１が、ＩＦ１に接続された各種センサおよび制御手段からの信号および利用者からのカードリーダ５１および操作パネル５２による入力を受けた入力部５０側からの所定の信号に基づいて、浄水生成部２０を制御する動作に関するものである。
【０１２２】
また、図１２は、第２制御部ＣＯＮＴ２のＣＰＵ２が、ＩＦ２に接続されたカードリーダ５１および操作パネル５２による利用者からの入力および浄水生成部２０側からの所定の信号に基づいて操作パネル５２に表示する画像である（ａ）から（ｉ）を示す画像である。なお、図１２に示した画像は、一例であり、これらに限定されるものではない。すなわち、促したい動作や伝えたい内容が利用者に理解できるものであれば、別の表現であってもよい。
【０１２３】
図１１のフローチャートは、浄水供給装置Ａの電源が投入されることでスタートし、予め設定された浄水供給装置Ａの初期設定の状態とされる。
【０１２４】
浄水供給装置Ａが初期設定の状態となると、施錠手段（ＤＳＯＬ）により扉１２が施錠される（Ｓ８１）。このとき、利用者にカードの情報の入力を促すために、図１２（ａ）に示すような表示画像が操作パネル５２に表示される。
【０１２５】
次に、利用者がカードリーダ５１に自身のカードを通すことにより、カードに記録された情報が入力されると（Ｓ８２においてＹ）、利用者にカードの情報が入力されたことを伝えるために、図１２（ｂ）に示すような表示画像が操作パネル５２に表示される。また、図１２（ｂ）に示される表示に続いて、利用者に注水量の選択を促すために、図１２（ｃ）に示すような表示画像が操作パネル５２に表示される。図１２（ｃ）の表示画像には、注水量として２リットルの注水要求を入力するための小ボトルボタン５２ａの表示画像と、注水量として４リットルの注水要求を入力するための大ボトルボタン５２ｂの表示画像とが含まれる。
【０１２６】
利用者から所望の注水量に関する情報が入力されると（Ｓ８３においてＹ）、約１０秒間にわたって給水経路が洗浄される（Ｓ８４）。このとき、利用者に給水経路が洗浄されていることを伝え、かつ容器Ｂのキャップの洗浄（キャップをキャップ除菌トレイ１１に入れてトレイを閉じること）を促すために、図１２（ｄ）に示すような表示画像が操作パネル５２に表示される。なお、給水経路を洗浄する時間は、一例であり、これに限定されない。利用者からの要望等を考慮しつつ、所望の時間を設定することができる。なお、洗浄される給水経路は、第１から第３の実施の形態と同じである。
【０１２７】
キャップセンサ（ＣＳ）が、キャップがキャップ除菌トレイ１１に入れられたことを検知することによりキャップ洗浄手段（ＣＷ）によるキャップの洗浄が開始されると（Ｓ８５においてＹ）、利用者が容器Ｂを載置台１２に置くために、扉１４が施錠手段（ＤＳＯＬ）により解錠される（Ｓ８６）。このとき、利用者に容器を載置台１２に置くことを促すために、図１２（ｅ）に示すような表示画像が操作パネル５２に表示される。
【０１２８】
容器センサ（ＢＳ）により容器Ｂが載置台１２に置かれたことが検知されると（Ｓ８７においてＹ）、扉１４が施錠手段（ＤＳＯＬ）により施錠される（Ｓ８８）。この後に、容器Ｂに浄水を供給することが開始される（Ｓ８９）。このとき、別の容器に浄水を続けて供給するか否かついて利用者に選択を促すために、図１２（ｆ）に示すような表示画像が操作パネル５２に表示される。図１２（ｆ）の表示画像には、利用者に給水中であることを伝える表示、および別の容器に浄水を供給する要求を入力するための引き続き給水ボタン５２ｃの表示画像（連続給水要求受付手段）と、容器に浄水を供給する意思がないことを入力するための給水終了ボタン５２ｄの表示画像、とが含まれる。なお、図１２（ｆ）の表示画像を表示する時間は、浄水の供給開始から完了までの時間とすることができる。ただし、これは一例であり、利用者の便宜を考慮して、完了後の所望の時間（例えば、１５〜６０秒間）まで表示してもよい。
【０１２９】
続けて別の容器にも浄水を供給する要求が利用者から入力されたとき、すなわち、図１２（ｆ）の引き続き給水ボタン５２ｃ（連続給水要求受付手段）による入力があったとき（Ｓ９０においてＹ）、当該指示がＲＡＭに記憶される（Ｓ９１）。なお、利用者から図１２（ｆ）の給水終了ボタン５２ｄによる入力を受け付けたときには、何ら記憶されない。
【０１３０】
流量センサＦＭ１により容器Ｂに対する所定量の浄水が供給されたことが検知されると、容器Ｂに浄水を供給することが完了される（Ｓ９２）。また、その後、浄水生成部２０の内部において、所定の時間の間（一例として、６０秒）の流水により、ＲＯユニット２０ｄの逆浸透膜ユニットＲＯ１，ＲＯ２が洗浄されている。
【０１３１】
ここで、図１２（ｆ）の引き続き給水ボタン５２ｃ（連続給水要求受付手段）による入力がＲＡＭ２に記憶されていることを示す信号を受信したとき（Ｓ９３においてＹ）、扉１４が施錠手段（ＤＳＯＬ）により解錠される（Ｓ９４）。このとき、図１２（ｈ）に示すような画像が操作パネル５２に表示される。
【０１３２】
一方で、図１２（ｆ）の引き続き給水ボタン５２ｃ（連続給水要求受付手段）による入力がＲＡＭ２に記憶されていることを示す信号を受信しなかったときには（Ｓ９３においてＮ）、扉１４が施錠手段（ＤＳＯＬ）により解錠され（Ｓ９５）、このときも、図１２（ｈ）に示すような画像が操作パネル５２に表示される。なお、扉１４が解錠された後には、Ｓ８１の前に戻り、別の利用者からの入力を待つ。
【０１３３】
扉１４が施錠手段（ＤＳＯＬ）により解錠されると（Ｓ９４）、利用者に容器（容器Ｂとは異なる別の容器）を載置台１２に置くことを促すために、図１０（ｇ）に示すような表示画像が操作パネル５２に表示される。
【０１３４】
利用者から所望の注水量に関する情報が入力されると（Ｓ９６においてＹ）、利用者に、給水経路の洗浄が行われないこと、および容器Ｂのキャップの洗浄（キャップをキャップ除菌トレイ１１に入れてトレイを閉じること）を促すために、図１２（ｉ）に示すような表示画像が操作パネル５２に表示される。
【０１３５】
キャップセンサ（ＣＳ）が、キャップがキャップ除菌トレイ１１に入れられたことを検知することにより、キャップ洗浄手段（ＣＷ）によるキャップの洗浄が開始されると（Ｓ９７においてＹ）、利用者に容器を載置台１２に置くことを促すために、図１２（ｅ）に示すような表示画像が操作パネル５２に表示される。
【０１３６】
容器センサ（ＢＳ）によりボトルＢが載置台１２に置かれたことが検知されると（Ｓ９９においてＹ）、Ｓ８８の前に戻る。以後は、Ｓ８８以降の動作および操作パネル５２に所定の表示が行われる。
【０１３７】
一方で、利用者から所望の注水量に関する情報が入力されず（Ｓ９６においてＮ）、かつカードリーダ５１からカードの情報の入力があったときには（Ｓ９８においてＹ）、給水経路が洗浄される（Ｓ１００）。なお、この後は、Ｓ８３の前に戻り、以後はＳ８３以降の動作および操作パネル５２に所定の表示が行われる。
【０１３８】
また、利用者から所望の注水量に関する情報が入力されず（Ｓ９６においてＮ）、かつカードリーダ５１からカードの情報の入力もないときには（Ｓ９８においてＮ）、タイマ（ＴＭ）により所定の時間のカウントが開始される（Ｓ１０１）。本実施の形態において、所定の時間は、３０秒である。ただし、これは一例であり、これに限定されるものではない。利用者の要望等により、当該所定の時間を長短することができる。
【０１３９】
さらに、タイマ（ＴＭ）によるカウント開始から所定の時間が経過したときには（Ｓ１０１においてＹ）、給水経路が洗浄される（Ｓ１０２）。なお、この後は、Ｓ８１の前に戻り、別の利用者からの入力を待つ。
【０１４０】
（第４の実施の形態の効果に係る説明）
この実施形態にかかる浄水供給装置Ａは、以上のごとき構成および作用からなり、以下、その効果について説明する。
【０１４１】
この実施形態にかかる浄水供給装置Ａは、図１２（ｆ）に示される引き続き給水ボタン５２ｃ（連続給水要求受付手段）を表示させることにより、利用者に、容器に浄水を供給するか否かの入力を求めるものである。これにより、利用者に煩雑な操作を繰り返させることがなく、容器に浄水を供給することができる。また、操作工数も減ることから、利用者は、浄水の供給に係る所要時間を短縮することもできる。
【０１４２】
さらに、この実施形態にかかる浄水供給装置Ａは、容器に浄水を続けて供給するとの入力を受け付けたときには、給水経路の洗浄が省略される。これにより、排水量を減らすことができるため、水の使用量を削減することができる。
【０１４３】
また、この実施形態にかかる浄水供給装置Ａは、容器に浄水を供給することが完了しても、利用者の入力があるまで扉が施錠された状態が維持される。これにより、利用者に必ず選択を行わせることができるため、利用者の操作忘れを防止することができる。
【０１４４】
さらに、この実施形態にかかる浄水供給装置Ａは、容器に浄水を連続して供給する必要がないときには、給水経路が洗浄される。これにより、利用者に清潔な浄水を常に供給することができる。
【０１４５】
（第５の実施の形態の説明）
次に、本発明の第５の実施の形態の説明（変形例）について、主として図６、図１３から図１５を基に説明する。
【０１４６】
図１３は、第５の実施の形態に係る浄水供給装置Ｃの正面中段近傍の部分拡大図である。また、図１４は、同装置の制御系のブロック構成図である。また、図１５は、第５の実施の形態に係り、同装置の主たる動作を示すフローチャートである。なお、第５の実施の形態に係る浄水供給装置の配管は、上述した浄水供給装置Ａの配管と同じであるため省略する。
【０１４７】
なお、浄水供給装置Ｃは、浄水供給装置Ａとほぼ同じ構成および制御部を有する。よって、理解を容易にするために、同一の構成要素は、その名称および符号は、同じものとする。
【０１４８】
（浄水供給装置Ｃの構成に係る説明）
浄水供給装置Ｃには、外装と内部機器の保護のための筺体１０と、その筺体１０の正面である接客面に、利用者からのカードの情報の入力を受け付けるカードリーダ５１と、利用者に浄水供給装置Ｃの動作状況および操作を促す画像等を表示する表示装置と利用者が操作する入力装置を兼ねた操作パネル５２と、操作パネル５２の下方に容器Ｂ（図３）のキャップを洗浄するキャップ洗浄手段（ＣＷ）（図示せず）の中に入れるためのキャップ除菌トレイ１１が設けられている。また、筐体１０の正面から内側に窪んだ、浄水が供給される所定の容器Ｂを挿入して置くための載置台１２と、この載置台１２の開口面に、扉１４が設けられている。なお、操作パネル５２は、上述したものと同じく、表示と入力を兼ねるタッチパネルであって、図６に示すような各種の画像が表示されることも同じである。これらの構成要素は、上述した浄水供給装置Ａに係るものと同一である。
【０１４９】
一方で、浄水供給装置Ｃの給水口に係る構成は、浄水供給装置Ａの給水口１３とは、相違する。すなわち、浄水供給装置Ｃには、回動可能な給水口テーブル６０と、給水口テーブル６０を回動させる駆動手段（図示せず）が設けられている。また、給水口テーブル６０は、第１給水口６１と、第２給水口６２を有する。第１給水口６１および第２給水口６２は、一方の給水口（例えば、第１給水口６１）が容器に浄水を供給している状態のときには、他方の給水口（例えば、第２給水口６２）が待機中または洗浄中の状態であり、交互に容器に浄水を供給するものである。
【０１５０】
（浄水供給装置Ｃの制御部に関する説明）
本発明に係る浄水供給装置Ｃは、筐体１０の中に、浄水供給装置Ａとほぼ同じ制御部を有する。以下、これらの制御部について説明する。
【０１５１】
すなわち、図１４に示すように、制御部は、上記浄水生成部２０の給水制御および水質管理の総体的制御を司る第１制御部ＣＯＮＴ１と、入力部５０の総体的制御を司る第２制御部ＣＯＮＴ２とを有するものである。
【０１５２】
第１制御部ＣＯＮＴ１は、ＣＰＵ１と、ＣＰＵ１にバスで接続されたＲＯＭ１およびＲＡＭ１と、第１通信手段ＴＲ１と、ＩＦ１とを有する。また、第２制御部ＣＯＮＴ２は、ＣＰＵ２と、ＣＰＵ２にバスで接続されたＲＯＭ２およびＲＡＭ２と、第２通信手段ＴＲ２と、ＩＦ２とを有する。なお、ＣＰＵ１、ＣＰＵ２、ＲＯＭ１、ＲＯＭ２、ＲＡＭ１およびＲＡＭ２の機能は、上述した第１の実施の形態として説明した機能と同様である。
【０１５３】
ＩＦ１には、第１の実施の形態で説明した、検知信号の出力源である容器センサＢＳ、水質測定手段ＴＤＳ１，ＴＤＳ２、水圧検知手段ＰＳ１，ＰＳ２、流量センサＦＭ１、温度センサＴＨ１などと、制御対象である扉施錠用ソレノイド（施錠手段）ＤＳＯＬ、電磁弁ＳＶ２〜ＳＶ８、ポンプユニット（加圧手段）２０ｃの加圧ポンプＰ１、タイマ（ＴＭ）、キャップ除菌トレイ１１内のキャップの有無を検知するキャップセンサ（ＣＳ）、キャップ洗浄手段（ＣＷ）などが接続されている。
【０１５４】
一方で、本実施の形態では、給水口テーブル６０を回動させるための駆動手段が接続されている。
【０１５５】
ＩＦ２には、第１の実施の形態で説明した、利用者からのカード情報の入力を受け付けるためのカードリーダ５１、および利用者に所定の状況を伝えるため、または入力を促すための画像を表示する操作パネル５２が接続されている。なお、第１通信手段ＴＲ１と第２通信手段ＴＲ２の通信規格についても第１の実施の形態と同様であり、通信規格に特に限定はないが、一例としてＲＳ−２３２Ｃを用いるシリアル通信を行うことが好ましい。
【０１５６】
（第５の実施の形態に係る浄水供給装置Ｃの主たる作用に関する説明）
第５の実施の形態に係る浄水供給装置Ｃにおける第１制御部ＣＯＮＴ１による浄水生成部２０の制御動作、および第２制御部ＣＯＮＴ２による入力部５０の制御動作について説明する。
【０１５７】
図１５のフローチャートは、第１制御部ＣＯＮＴ１のＣＰＵ１が、ＩＦ１に接続された各種センサおよび制御手段からの信号および利用者からのカードリーダ５１および操作パネル５２による入力を受けた入力部５０側からの所定の信号に基づいて、浄水生成部２０を制御する動作に関するものである。
【０１５８】
また、本実施の形態においても、図６に示した各表示画像が本実施の形態においても表示される。なお、図６に示した表示画像が一例であり、別の表現でもいいことは、本実施の形態においても同様である。
【０１５９】
図１５のフローチャートは、浄水供給装置Ｃの電源が投入されることでスタートし、予め設定された浄水供給装置Ｃの初期設定の状態とされる。
【０１６０】
浄水供給装置Ｃが初期設定の状態となると、施錠手段（ＤＳＯＬ）により扉１２が施錠される（Ｓ１１１）。このとき、利用者にカードの情報の入力を促すために、図６（ａ）に示される表示画像が操作パネル５２に表示される。
【０１６１】
次に、利用者がカードリーダ５１に自身のカードを通すことにより、カードに記録された情報が入力されると（Ｓ１１２においてＹ）、利用者にカードの情報が入力されたことを伝えるために、図６（ｂ）に示される表示画像が操作パネル５２に表示される。また、図６（ｂ）に示される表示画像の表示に続いて、利用者に注水量の選択を促すために、注水量として２リットルの注水要求を入力するための小ボトルボタン５２ａと注水量として４リットルの注水要求を入力するための大ボトルボタン５２ｂを含む図６（ｃ）に示される表示画像が操作パネル５２に表示される。
【０１６２】
利用者から所望の注水量に関する情報が入力されると（Ｓ１１３においてＹ）、約１０秒間にわたって給水経路が洗浄される（Ｓ１１４）。また、ここで洗浄される給水口は、給水位置にある給水口、すなわち第１給水口６１または第２給水口６２のいずれか一方である。このとき、利用者に給水経路が洗浄されていることを伝え、かつ容器Ｂのキャップの洗浄（キャップをキャップ除菌トレイ１１に入れてトレイを閉じること）を促すために、図６（ｄ）に示される表示画像が操作パネル５２に表示される。なお、給水経路を洗浄する時間は、一例であり、これに限定されない。利用者からの要望等を考慮しつつ、所望の時間を設定することができる。
【０１６３】
ここで、給水経路は、第１の実施の形態で説明した、浄水生成部２０の各ユニットおよびそれら接続する各種の管路から構成されている経路とほぼ同じであるが、本実施の形態においては第１給水口６１または第２給水口６２の一方を給水口とするものである。
【０１６４】
また、本実施の形態における給水経路の洗浄とは、容器Ｂが載置台１２に置かれていない状態で給水位置にある給水口（第１給水口６１または第２給水口６２のいずれか一方）を含む給水経路に流水すること（Ｓ１１４）、または給水位置にない給水口（第１給水口６１または第２給水口６２のいずれか一方）を含む給水経路に流水すること（後述するＳ１２０）により、給水経路を洗い流すものである。なお、洗浄後の排水は、給水口１３から載置台１２下方に設けられた受け皿および排水口（ともに図示せず）から所定の管路を経て、浄水供給装置Ｃの外に排出される。
【０１６５】
キャップセンサ（ＣＳ）が、キャップがキャップ除菌トレイ１１に入れられたことを検知することによりキャップ洗浄手段（ＣＷ）によるキャップの洗浄が開始されると（Ｓ１１５においてＹ）、利用者が容器Ｂを載置台１２に置くために、扉１４が施錠手段（ＤＳＯＬ）により解錠される（Ｓ１１６）。このとき、利用者に容器を載置台１２に置くことを促すために、図６（ｅ）に示される表示画像が操作パネル５２に表示される。
【０１６６】
容器センサ（ＢＳ）により容器Ｂが載置台１２に置かれたことが検知されると（Ｓ１１７においてＹ）、扉１４が施錠手段（ＤＳＯＬ）により施錠される（Ｓ１１８）。この後に、容器Ｂに浄水を供給することが開始される（Ｓ１１９）。給水開始から給水完了までの間、利用者に給水中であることを伝えるために、図６（ｆ）に示される表示画像が操作パネル５２に表示される。また、給水中に、給水位置にない給水口、すなわち待機中の給水口（第１給水口６１または第２給水口６２のいずれか一方）を含む給水経路が洗浄される（Ｓ１２０）。
【０１６７】
流量センサＦＭ１により容器Ｂに対する所定量の浄水が供給されたことが検知されると、容器Ｂに浄水を供給することが完了される（Ｓ１２１）。また、その後、浄水生成部２０の内部において、所定の時間の間（一例として、６０秒）の流水により、ＲＯユニット２０ｄの逆浸透膜ユニットＲＯ１，ＲＯ２が洗浄されている。このとき、別の容器に浄水を続けて供給するか否かついて利用者に選択を促すために、別の容器に浄水を供給する要求を入力するための引き続き給水ボタン５２ｃ（連続給水要求受付手段）と、容器に浄水を供給する意思がないことを入力するための給水終了ボタン５２ｄとが含む図６（ｇ）に示される表示画像が操作パネル５２に表示される。なお、図６（ｇ）に示される表示画像を表示する時間は、浄水の供給完了後から所望の時間とすることができ、本実施の形態においては、上記の逆浸透膜ユニットＲＯ１，ＲＯ２と同じく６０秒である。ただし、これは一例であり、所望の時間を設定することができる。
【０１６８】
続けて別の容器にも浄水を供給する要求が利用者から入力されたとき、すなわち、図６（ｇ）に示される引き続き給水ボタン５２ｃ（連続給水要求受付手段）による入力があったとき（Ｓ１２２においてＹ）、扉１４が施錠手段（ＤＳＯＬ）により解錠される（Ｓ１２３）。ことのき、図６（ｈ）に示される表示画像が操作パネル５２に表示される。
【０１６９】
一方で、利用者から図６（ｇ）に示される給水終了ボタン５２ｄによる入力を受け付けたときにも（Ｓ１２２においてＮ）、扉１４が施錠手段（ＤＳＯＬ）により解錠され（Ｓ１２４）。このとのきも、図６（ｈ）に示される表示画像が操作パネル５２に表示される。なお、扉１４が解錠された後には、Ｓ５１の前に戻り、別の利用者からの入力を待つ。
【０１７０】
扉１４が施錠手段（ＤＳＯＬ）により解錠されると（Ｓ１２３）、利用者に容器（容器Ｂとは異なる別の容器）を載置台１２に置くことを促すために、図６（ｅ）に示される表示画像が操作パネル５２に表示される。
【０１７１】
利用者から所望の注水量に関する情報が入力されると（Ｓ１２５においてＹ）、利用者に、給水経路の洗浄が行われないこと、および容器のキャップの洗浄（キャップをキャップ除菌トレイ１１に入れてトレイを閉じること）を促すために、図６（ｉ）に示される表示画像が操作パネル５２に表示される。
【０１７２】
キャップセンサ（ＣＳ）が、キャップがキャップ除菌トレイ１１に入れられたことを検知することにより、キャップ洗浄手段（ＣＷ）によるキャップの洗浄が開始されると（Ｓ１２６においてＹ）、利用者に容器を載置台１２に置くことを促すために、図６（ｅ）に示される表示画像が操作パネル５２に表示される。
【０１７３】
容器センサ（ＢＳ）によりボトルＢが載置台１２に置かれたことが検知されると（Ｓ１２８においてＹ）、駆動手段により給水口テーブル６０が回動し、大気中であった洗浄された給水口（第１給水口６１または第２給水口６２のいずれか一方）が給水位置にセットされ（Ｓ１３１）、Ｓ１１８の前に戻る。以後は、Ｓ１１８以降の動作および操作パネル５２に所定の表示が行われる。
【０１７４】
一方で、利用者から所望の注水量に関する情報が入力されず（Ｓ１２５においてＮ）、かつカードリーダ５１からカードの情報の入力があったときには（Ｓ１２７においてＹ）、給水経路が洗浄される（Ｓ１２９）。なお、この後は、Ｓ１１３の前に戻り、以後はＳ１１３以降の動作および操作パネル５２に所定の表示が行われる。
【０１７５】
また、利用者から所望の注水量に関する情報が入力されず（Ｓ１２５においてＮ）、かつカードリーダ５１からカードの情報の入力もないときには（Ｓ１２７においてＮ）、タイマ（ＴＭ）により所定の時間のカウントが開始される（Ｓ１３０）。本実施の形態において、所定の時間は、３０秒である。ただし、これは一例であり、これに限定されるものではない。利用者の要望等により、当該所定の時間を長短することができる。
【０１７６】
さらに、タイマ（ＴＭ）によるカウント開始から所定の時間が経過したときには（Ｓ１３０においてＹ）、給水経路が洗浄される（Ｓ１３２）。なお、この後は、Ｓ１１１の前に戻り、別の利用者からの入力を待つ。
【０１７７】
（第５の実施の形態の効果に係る説明）
この実施形態にかかる浄水供給装置Ｃは、図６（ｇ）に示される引き続き給水ボタン５２ｃ（連続給水要求受付手段）を表示させることにより、利用者に、容器に浄水を供給するか否かの入力を求めるものである。これにより、利用者に煩雑な操作を繰り返させることがなく、容器に浄水を供給することができる。また、操作工数も減ることから、利用者は、浄水の供給に係る所要時間を短縮することもできる。
【０１７８】
さらに、この実施形態にかかる浄水供給装置Ｃは、給水中に待機中の給水口を含む給水経路の洗浄を行う。これにより、利用者に清潔な浄水を常に供給することができる。
【０１７９】
また、この実施形態にかかる浄水供給装置Ｃは、容器に浄水を供給することが完了しても、利用者の入力があるまで扉が施錠された状態が維持される。これにより、利用者に必ず選択を行わせることができるため、利用者の操作忘れを防止することができる。
【０１８０】
さらに、この実施形態にかかる浄水供給装置Ｃは、容器に浄水を連続して供給する必要がないときには、給水経路が洗浄される。これにより、利用者に清潔な浄水を常に供給することができる。
【０１８１】
（その他の変形例）
本発明は上記した実施の形態において、下記に示すような変更等が可能である。
（１）本実施の形態におけるろ過手段は、として逆浸透膜を用いたものであるが、他のろ過手段を用いることもできる。例えば、抗菌繊維状活性炭、抗菌粒状活性炭、陽イオン交換樹脂をろ過手段として採用してもよい。また、逆浸透膜を用いたろ過手段においても、中空糸幕、チューブラ幕またはスパイラル幕を用いたものと、所望の逆浸透膜を用いたろ過手段を採用するこができる。
（２）本実施の形態における注水量は、２リットルまたは４リットルのいずれかの注水量であるが、その量は任意であり、一例に過ぎない。これらと異なる注水量を設定するこができる。また、所望の注水量は、２種類ではなく、１種類または３種類以上とすることもできる。
（３）新たに、給水開始ボタンを設け、当該ボタンを押下することにより給水が開始するようにしてもよい。
（４）容器センサ（ＢＳ）の代わりに、撮像処理が可能な装置により容器の有無または容器の大きさ（サイズ）を検知する構成を採用することもできる。これにより、容器の置き忘れまたは容器のサイズ違い等の誤りを回避させることができる。
（５）流量センサＦＭ１の代わりに、容器への給水時間や容器の重量を検知するセンサを設けて給水の完了を判断することもできる。
（６）給水量を選択させる手段に代えて、容器のサイズを自動的に検知することができるセンサを設けることにより、給水量を決定させることもできる。また、これにより、給水量よりも少ない容量の容器が置かれたときには、水が容器から溢れることを防止するために、容器が異なる旨を伝えることもできる。
（７）本発明に係る浄水供給装置を有料の浄水販売機とすることもできる。この場合の対価精算方法は、硬貨処理、紙幣処理、または電子マネー機能が付加された各種カードもしくはクレジットカードなどのカード処理など任意である。さらに、対価清算方法に応じた受付手段（貨幣挿入口、紙幣挿入口、上記カードのための情報読み取り装置など）を設けることができる。また、注水量の受け付けに関して、利用者から注水量および注水回数の入力を受け付ける手段を設け、当該手段による入力を受け付けた後に、利用者に入金を促すような構成も可能である。この場合には、入力された全ての注水が完了するまで、つり銭を排出しないようにすることも好ましい。これにより、途中で給水がキャンセルされたときに、つり銭とともに、投入金額と実際に供給された料金の差額に相当する金銭をまとめて払い出すことができる。
【符号の説明】
【０１８２】
Ａ，Ｃ  浄水供給装置
１０  筐体
５２  操作パネル
５２ａ  小ボトルボタン（注水量選択手段）
５２ｂ  大ボトルボタン（注水量選択手段）
５２ｃ  引き続き給水ボタン（連続給水要求受付手段）
Ｂ  容器
【図１】
2020044491.tif 000003
【図２】
2020044491.tif 000004
【図３】
2020044491.tif 000005
【図４】
2020044491.tif 000006
【図５】
2020044491.tif 000007
【図６】
2020044491.tif 000008
【図７】
2020044491.tif 000009
【図８】
2020044491.tif 000010
【図９】
2020044491.tif 000011
【図１０】
2020044491.tif 000012
【図１１】
2020044491.tif 000013
【図１２】
2020044491.tif 000014
【図１３】
2020044491.tif 000015
【図１４】
2020044491.tif 000016
【図１５】
2020044491.tif 000017